(57)【要約】【課題】従来からの広告・宣伝情報を提供する情報提供システムにおいては、情報提供者は店舗や施設内での狭域通信により、各店舗から個々に広告・宣伝を発信する。しかし、利用者各人が必要とする情報に対応することは困難である。【解決手段】本発明では、この課題を解決するために、携帯端末装置と、携帯端末装置に対してダウンロードすべきプログラムファイルを保持するプログラムファイルサーバ装置と、からなる情報供給システムを提案する。ここでのプログラムファイルは、狭域通信を利用してサービスを受けるためのプログラムが含まれているファイルをいう。これにより、プログラムファイルを実行することで、現在地周辺のサーバ装置などから狭域通信を介して提供される音楽や、ゲーム等が視聴可能となり、周辺の店舗の情報が利用可能となる。【選択図】            図２
2004258316.tif 000002
【特許請求の範囲】
【請求項１】
携帯端末装置と、携帯端末装置に対してダウンロードすべきプログラムファイルを保持するプログラムファイルサーバ装置と、からなる情報供給システムであって、
前記携帯端末装置は、
自身の位置を示す情報である位置情報を生成するための信号である位置情報生成信号を出力する位置情報生成信号出力部と、
前記位置情報生成信号出力部から出力された位置情報生成信号に基づいて生成された位置情報に応じて前記プログラムファイルサーバ装置から送信されるプログラムファイルを受信するためのファイル受信部と、
前記ファイル受信部で受信したプログラムファイルを実行する実行部と、
を有し、
前記プログラムファイルサーバ装置は、
前記プログラムファイルを保持するプログラムファイル保持部と、
前記位置情報を取得する位置情報取得部と、
前記位置情報取得部で取得した位置情報に応じて前記プログラムファイル保持部から前記携帯端末装置に送信すべきプログラムファイルを選択するプログラムファイル選択部と、
前記プログラムファイル選択部で選択されたプログラムファイルを前記携帯端末装置に対して送信するプログラムファイル送信部と、
を有する情報供給システム。
【請求項２】
前記携帯端末装置は、
前記実行部での実行結果に関する情報である実行結果情報を送信するための実行結果情報送信部を有し、
前記プログラムファイルサーバ装置は、
前記プログラムファイル選択部が、前記実行結果情報に基いてプログラムファイルを選択するための手段である実行結果依存プログラムファイル選択手段をさらに有する
請求項１に記載の情報供給システム。
【請求項３】
前記携帯端末装置は、
前記実行部にて前記プログラムファイルを実行することで利用可能となるＬＡＮと接続するためのＬＡＮ接続部をさらに有する請求項１又は２に記載の情報供給システム。
【請求項４】
前記携帯端末装置におけるプログラムファイルの実行に基いて前記携帯端末装置と通信をするためのサーバ側ＬＡＮ接続部と、
前記サーバ側ＬＡＮ接続部を介した前記携帯端末装置との通信内容に関する情報である通信結果情報を保持する通信結果情報保持部と、
前記通信結果情報保持部で保持されている前記通信結果情報を前記プログラムファイルサーバ装置に対して送信する通信結果情報送信部と、
を有するＬＡＮサーバ装置を
さらに有し、
前記携帯端末装置は、
前記実行部にて前記プログラムファイルを実行することで前記ＬＡＮサーバ装置と接続するためのＬＡＮ接続部をさらに有する、
請求項１に記載の情報供給システム。
【請求項５】
前記プログラムファイルサーバ装置は、
前記プログラムファイル選択部が、前記通信結果情報に基いてプログラムファイルを選択するための手段である通信結果依存プログラムファイル選択手段をさらに有する
請求項４に記載の情報供給システム。
【請求項６】
携帯端末装置と、携帯端末装置が取得すべきプログラムファイルを放送するプログラムファイル放送装置と、からなる情報供給システムであって、
前記携帯端末装置は、
自身の位置を示す情報である位置情報を生成するための信号である位置情報生成信号を取得する位置情報生成信号取得部と、
前記位置情報生成信号取得部にて取得された位置情報生成信号に基づいて生成された位置情報に応じて前記プログラムファイル放送装置から放送されるプログラムファイルを取得するファイル取得部と、
前記ファイル取得部で取得したプログラムファイルを実行する実行部と、
を有し、
前記プログラムファイル放送装置は、
前記プログラムファイルを保持するプログラムファイル保持部と、
前記プログラムファイル保持部にて保持されるプログラムファイルを放送するプログラムファイル放送部と、
を有する情報供給システム。
【請求項７】
前記携帯端末装置は、
前記実行部にて前記プログラムファイルを実行することで利用可能となるＬＡＮと接続するためのＬＡＮ接続部をさらに有する請求項６に記載の情報供給システム。
【請求項８】
前記携帯端末装置におけるプログラムファイルの実行に基いて前記携帯端末装置と通信をするためのサーバ側ＬＡＮ接続部と、
前記サーバ側ＬＡＮ接続部を介した前記携帯端末装置との通信内容に関する情報である通信結果情報を保持する通信結果情報保持部と、
前記通信結果情報保持部で保持されている前記通信結果情報を前記携帯端末装置に対して送信する通信結果情報送信部と、
を有するＬＡＮサーバ装置を
さらに有し、
前記携帯端末装置は、
前記実行部にて前記プログラムファイルを実行することで前記ＬＡＮサーバ装置と接続するためのＬＡＮ接続部と、
前記通信結果情報を前記ＬＡＮサーバ装置から受信する通信結果情報受信部と、
をさらに有し、
前記ファイル取得部は、前記通信結果情報受信部で受信した通信結果情報に応じて前記プログラムファイル放送装置から放送されるプログラムファイルを取得する通信結果依存ファイル取得手段
をさらに有する請求項６に記載の情報供給システム。
【請求項９】
携帯端末装置と、携帯端末装置に対してダウンロードすべきプログラムファイルを保持するプログラムファイルサーバ装置と、からなる情報供給システムにおいて、
前記携帯端末装置は、自身の位置を示す情報である位置情報を生成するための信号である位置情報生成信号を出力する位置情報生成信号出力ステップと、
前記プログラムファイルサーバ装置は、前記位置情報生成信号出力ステップにて出力された位置情報生成信号に基づいて前記位置情報を取得する位置情報取得ステップと、
前記プログラムファイルサーバ装置は、前記位置情報取得ステップにて取得した位置情報に応じて前記携帯端末装置に送信すべきプログラムファイルを選択するプログラムファイル選択ステップと、
前記プログラムファイルサーバ装置は、前記プログラムファイル選択ステップにて選択されたプログラムファイルを前記携帯端末装置に対して送信するプログラムファイル送信ステップと、
前記携帯端末装置は、前記プログラムファイルサーバ装置から送信されるプログラムファイルを受信するためのファイル受信ステップと、
前記携帯端末装置は、前記ファイル受信ステップにて受信したプログラムファイルを実行する実行ステップと、
を有する情報供給方法。
【請求項１０】
携帯端末装置と、携帯端末装置が取得すべきプログラムファイルを放送するプログラムファイル放送装置と、からなる情報供給システムにおいて、
前記プログラムファイル放送装置は、保持しているプログラムファイルを放送するプログラムファイル放送ステップと、
前記携帯端末装置は、自身の位置を示す情報である位置情報を生成するための信号である位置情報生成信号を取得する位置情報生成信号取得ステップと、
前記携帯端末装置は、位置情報生成信号取得ステップにて取得された位置情報生成信号に基づいて生成された位置情報に応じて前記プログラムファイル放送装置から放送されるプログラムファイルを取得するファイル取得ステップと、
前記携帯端末装置は、ファイル取得ステップにて取得したプログラムファイルを実行する実行ステップと、
を有する情報供給方法。
【請求項１１】
請求項１記載の携帯端末装置。
【請求項１２】
請求項１記載のプログラムファイルサーバ装置。
【請求項１３】
請求項６記載の携帯端末装置。
【請求項１４】
請求項６記載のプログラムファイル放送装置。
【発明の詳細な説明】
【発明の属する技術分野】
本発明は情報供給システムに関するものである。
【０００１】
【従来の技術】
従来から、展示物や商品等に関する情報を、利用者に告知するために、利用者の所有する携帯端末に、電子メールの送信や、ホームページの提供を行う情報提供システムはある（特許文献１参照。）。
【０００２】
【特許文献１】
特開２００２−３２９１２５号公報
【０００３】
【発明が解決しようとする課題】
しかし、従来の情報提供システムでは、案内する情報が電子メールや、ホームページで閲覧できる対象に限られており、例えば、音楽や、ゲームのサンプルを試聴することは困難であった。
【０００４】
また、別の手段としては、広告・宣伝情報を提供する情報提供システムがある。このとき、情報提供者は店舗や施設内での狭域通信により、各店舗から個々に広告・宣伝を発信する。しかし、利用者各人が必要とする情報は、利用者の嗜好、あるいは、そのときの状況に応じてそれぞれ異なる。つまり、利用者各人が必要とする情報は、需要が充足された後は（例えば、食事が済んだ直後のレストランの案内情報など）、必要でない場合も起こりうる。
【０００５】
【課題を解決するための手段】
本発明では、この課題を解決するために、携帯端末装置と、携帯端末装置に対してダウンロードすべきプログラムファイルを保持するプログラムファイルサーバ装置と、からなる情報供給システムを提案する。ここでのプログラムファイルは、狭域通信を利用してサービスを受けるためのプログラムが含まれているファイルをいう。これにより、プログラムファイルを実行することで、現在地周辺のサーバ装置などから狭域通信を介して提供される音楽や、ゲーム等が視聴可能となり、周辺の店舗の情報が利用可能となる。
【０００６】
このとき、プログラムファイルサーバ装置は、携帯端末装置の位置に応じてプログラムファイルを選択して送信する。携帯端末装置の位置に応じた情報を選択することで、利用者の現在必要とする情報を的確に送信することができる。加えて、利用者の実行結果や通信結果に基づいてプログラムファイルを選択し、利用者の嗜好や、そのときの状況に適したプログラムファイルを送信することも可能である。
【０００７】
さらに、プログラムファイルサーバ装置の代わりに、プログラムファイル放送装置を用いてプログラムファイルを放送する情報供給システムも提案する。この場合は、プログラムファイルを広く放送の形態で送信するため、多くの利用者が利用可能となり、汎用的なシステムとすることが期待できる。
【０００８】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００９】
実施形態１は、主に請求項１、９、１１、１２などについて説明する。
【００１０】
実施形態２は、主に請求項２などについて説明する。
【００１１】
実施形態３は、主に請求項３などについて説明する。
【００１２】
実施形態４は、主に請求項４などについて説明する。
【００１３】
実施形態５は、主に請求項５などについて説明する。
【００１４】
実施形態６は、主に請求項６、１０、１３、１４などについて説明する。
【００１５】
実施形態７は、主に請求項７などについて説明する。
【００１６】
実施形態８は、主に請求項８などについて説明する。
＜＜実施形態１＞＞
【００１７】
＜実施形態１：概要＞
【００１８】
実施形態１について説明する。
【００１９】
図１は、本実施形態の概念の一例を示すものである。本実施形態は、携帯端末装置と、携帯端末装置に対してダウンロードすべきプログラムファイルを保持するプログラムファイルサーバ装置と、からなる情報供給システムである。まず、携帯端末装置は、自身の位置を示す位置情報を生成するために位置情報生成信号を出力する（▲１▼）。プログラムファイルサーバ装置は、その位置情報生成信号を利用等して位置情報を生成する。さらに、プログラムファイルサーバ装置は、生成した位置情報に応じたプログラムファイルを選択して送信する（▲２▼）。それを受けて、携帯端末装置は、送信されたプログラムファイルを受信し、実行する（▲３▼）。
【００２０】
これは、具体的には、携帯端末装置を所持した利用者がＣＤショップに入店した際に、携帯端末装置の出力する位置情報生成信号から、プログラムファイルサーバ装置が利用者の入店を認識し、そのＣＤショップの売れ筋ＣＤの楽曲を試聴できるプログラムファイルを、公衆回線を通じて送信する場合などが該当する。利用者は受信したプログラムファイルを実行することで、即座に売れ筋ＣＤの楽曲を試聴することが可能である。このように、利用者にタイミングよく、宣伝・広告を行うことが可能となるので、マーケッティング効果が期待できる。
【００２１】
＜実施形態１：構成＞
【００２２】
本実施形態での機能ブロックの一例を図２に示した。
【００２３】
図２に示す本実施形態の「情報供給システム」（０２００）は、「携帯端末装置」（０２１０）と、「プログラムファイルサーバ装置」（０２２０）とからなる。さらに、「携帯端末装置」（０２１０）は、「位置情報生成信号出力部」（０２１１）と、「ファイル受信部」（０２１２）と、「実行部」（０２１３）とからなる。また、「プログラムファイルサーバ装置」（０２２０）は、「プログラムファイル保持部」（０２２１）と、「位置情報取得部」（０２２２）と、「プログラムファイル選択部」（０２２３）と、「プログラムファイル送信部」（０２２４）とからなる。
【００２４】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２５】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００２６】
まず、携帯端末装置について説明する。
【００２７】
「位置情報生成信号出力部」（０２１１）は、位置情報生成信号を出力する。「位置情報生成信号」は、自身の位置を示す情報である位置情報を生成するための信号である。位置情報生成信号は、例えば、携帯端末装置が基地局との通信の際に用いる信号や、ＧＰＳに基づいて得られる信号などが該当する。
【００２８】
「ファイル受信部」（０２１２）は、前記位置情報生成信号出力部（０２１１）から出力された位置情報生成信号に基づいて生成された位置情報に応じて前記プログラムファイルサーバ装置から送信されるプログラムファイルを受信するための処理を行う。「プログラムファイル」は、狭域通信を利用してサービスを受けるために携帯端末装置に処理をさせるための一連の流れを記述したものである。例えば、動画や、音楽の再生などの具体的な処理をさせるためのアプリケーションなどを含む場合もある。
【００２９】
「実行部」（０２１３）は、ファイル受信部（０２１２）で受信したプログラムファイルを実行する。「実行」は、狭域通信を利用してサービスを受けるためのプログラムを動作させることである。例えば、音楽再生プログラムファイルを受信した場合には、これを動作させ音楽を再生することが該当する。
【００３０】
以上で述べた携帯端末装置については、情報供給システムを構成しないで、同様の機能を有する単独の装置であってもよい。
【００３１】
次に、プログラムファイルサーバ装置について説明する。
【００３２】
「プログラムファイル保持部」（０２２１）は、プログラムファイルを保持する。
【００３３】
「位置情報取得部」（０２２２）は、位置情報を取得する。「位置情報」は、携帯端末装置の位置を示す情報である。位置情報は、緯度経度を用いて絶対的に示す場合の他、携帯端末装置が所定の範囲内に入っているかどうかを相対的に示す情報であってもよい。また、携帯端末装置が特定の店舗内（例えば、ＣＤショップ）に入り、さらに、特定のコーナー（例えば、クラシック音楽のコーナー）にいる場合には、位置情報にそれぞれを識別することができる店舗ＩＤや、コーナーＩＤが含まれるとしてもよい。
【００３４】
「取得」は、外部から送信等されたものを受信し、さらに内部的に生成する場合などが含まれるとしてもよい。
【００３５】
図３は、プログラムファイルサーバ装置が位置情報を取得する際の具体例を示した図である。まず、（Ａ）は、携帯端末装置から送信された位置情報生成信号を受信し、これに基づいて位置情報を生成して取得する場合である。また、（Ｂ）は、携帯端末装置が出力する信号に基づいて、店舗等に設置された第三の装置が、携帯端末装置が所定の範囲内に入っているかどうかを判定し、送信された位置信号を取得する場合である。
【００３６】
「プログラムファイル選択部」（０２２３）は、位置情報取得部（０２２２）で取得した位置情報に応じて前記プログラムファイル保持部（０２２１）から前記携帯端末装置に送信すべきプログラムファイルを選択する。
【００３７】
「プログラムファイル送信部」（０２２４）は、プログラムファイル選択部（０２２３）で選択されたプログラムファイルを前記携帯端末装置に対して送信する。
【００３８】
以上で述べたプログラムファイルサーバ装置については、情報供給システムを構成しないで、同様の機能を有する単独の装置であってもよい。
【００３９】
＜実施形態１：処理の流れ＞
【００４０】
図４は、実施形態１での処理の流れの一例を示したものである。本実施形態における情報供給方法は、携帯端末装置と、携帯端末装置に対してダウンロードすべきプログラムファイルを保持するプログラムファイルサーバ装置と、からなる情報供給システムにおいて、以下に示すステップよりなる。
【００４１】
まず、前記携帯端末装置は、自身の位置を示す情報である位置情報を生成するための信号である位置情報生成信号を出力する（位置情報生成信号出力ステップＳ０４０１）。
【００４２】
一方、プログラムファイルサーバ装置は、前記位置情報生成信号出力ステップ（Ｓ０４０１）にて出力された位置情報生成信号に基づいて前記位置情報を取得する（位置情報取得ステップ  Ｓ０４０２）。
【００４３】
次に、プログラムファイルサーバ装置は、前記位置情報取得ステップ（Ｓ０４０２）にて取得した位置情報に応じて前記携帯端末装置に送信すべきプログラムファイルを選択する（プログラムファイル選択ステップ  Ｓ０４０３）。
【００４４】
さらに、プログラムファイルサーバ装置は、前記プログラムファイル選択ステップ（Ｓ０４０３）にて選択されたプログラムファイルを前記携帯端末装置に対して送信する（プログラムファイル送信ステップ  Ｓ０４０４）。
【００４５】
ここで、携帯端末装置は、前記プログラムファイルサーバ装置から送信されるプログラムファイルを受信するための処理を行う（ファイル受信ステップ  Ｓ０４０５）。
【００４６】
最後に、携帯端末装置は、前記ファイル受信ステップ（Ｓ０４０５）にて受信したプログラムファイルを実行する（実行ステップ  Ｓ０４０６）。
【００４７】
以上の処理は、計算機に実行させるためのプログラムで実行することができ、また、このプログラムを計算機によって読み取り可能な記録媒体に記録することができる。（本明細書の全体を通して同様である。）
【００４８】
＜実施形態１：効果＞
【００４９】
携帯端末装置は、自身の位置に応じてプログラムファイルを受信することができ、そのプログラムファイルを実行することができる。つまり、利用者の状況に応じた利用者が必要とするプログラムファイルの配信が可能となるので、利用者にとっては便利である。
【００５０】
さらに、プログラムファイルの提供者にとっては、利用者にタイミングよく各種サービスや情報を提供することが可能となったことで、マーケッティング効率のよい宣伝・広告活動を行うことができる。
＜＜実施形態２＞＞
【００５１】
＜実施形態２：概要＞
【００５２】
実施形態２について説明する。本実施形態は、プログラムファイルサーバ装置が、携帯端末装置から送信される実行結果に関する実行結果情報に基づいてプログラムファイルを選択することに特徴を有する情報供給システムである。
【００５３】
＜実施形態２：構成＞
【００５４】
本実施形態での機能ブロックの一例を図５に示した。
【００５５】
図５に示す本実施形態の「情報供給システム」（０５００）は、「携帯端末装置」（０５１０）と、「プログラムファイルサーバ装置」（０５２０）とからなる。さらに、「携帯端末装置」（０５１０）は、「位置情報生成信号出力部」（０５１１）と、「ファイル受信部」（０５１２）と、「実行部」（０５１３）と、さらに、「実行結果情報送信部」（０５１４）とからなる。また、「プログラムファイルサーバ装置」（０５２０）は、「プログラムファイル保持部」（０５２１）と、「位置情報取得部」（０５２２）と、「プログラムファイル選択部」（０５２３）と、「プログラムファイル送信部」（０５２４）とからなる。「プログラムファイル選択部」（０５２３）は、さらに、「実行結果依存プログラムファイル選択手段」（０５２５）を有する。
【００５６】
まず、携帯端末装置について説明する。
【００５７】
「実行結果情報送信部」（０５１４）は、実行結果情報を送信するための処理を行う。「実行結果情報」は、実行部（０５１３）での実行結果に関する情報である。例えば、受信したプログラムファイルのうち実行したものについての情報が該当する。具体的には、実行したプログラムファイルのファイル名、実行日時、実行回数などが該当する。これらの情報から利用者の嗜好が推測できるため、携帯端末装置からプログラムファイルサーバ装置へ実行結果情報を送信することで、プログラムファイルの選択が適切にわれることが期待できる。
【００５８】
次に、プログラムファイルサーバ装置について説明する。
【００５９】
「実行結果依存プログラムファイル選択手段」（０５２５）は、実行結果情報に基づいてプログラムファイルを選択するための処理を行う。例えば、実行回数が多いプログラムファイルは、利用者が頻繁に実行することを意味しており、より利用者の嗜好に合致することが想定される。したがって、他のプログラムファイルよりも優先順位を高く設定し、適切に選択が行われるようにする手段をとることが必要となる。
【００６０】
その他各部の処理については、実施形態１と同様である。
【００６１】
＜実施形態２：具体例＞
【００６２】
図６に、実行結果情報の具体例を示した。携帯端末装置から受信した実行結果情報に基づいて、プログラムファイルサーバ装置は、プログラムファイルを選択する。ここでは、実行結果情報が、携帯端末装置において実行したプログラムファイルのファイル名、実行日時、実行回数を含むとした。また、このとき、プログラムを使って実行したコンテンツに関する情報（コンテンツ名、監督名、出演者名など）が含まれるとしてもよい。
【００６３】
図で示したように、音楽再生プログラムファイルが最も実行回数が多いという結果が得られた。そこで、実行結果依存プログラムファイル選択手段においては、この実行結果に依存し、音楽再生プログラムファイルが選択される優先度を高く設定する等すればよい。
【００６４】
その他、実行結果依存プログラムファイル選択手段においては、実行結果情報の最近の実行頻度に着目するとしてもよい。この場合、図で示したように、画像プログラムファイルが最近の実行頻度が高いといえる。したがって、実行結果依存プログラムファイル選択手段においては、この実行結果に依存し、画像再生プログラムファイルが選択される優先度を高く設定する等すればよい。
【００６５】
あるいは、携帯端末装置が、周辺店舗のランチの情報を閲覧するプログラムファイルを実行した場合には、その後デザートの情報を通知するプログラムファイルが選択される優先度を高く設定する等することも可能である。
【００６６】
＜実施形態２：効果＞
【００６７】
携帯端末装置から送信される実行結果に基づいて、プログラムファイルサーバ装置は、携帯端末装置に送信するプログラムファイルを選択して送信することができる。つまり、利用者の嗜好に合致する情報の配信が可能となるので、利用者にとっては便利である。
【００６８】
さらに、プログラムファイルの提供者にとっては、利用者にとって、より興味のある各種サービスや情報を提供することが可能となることで、マーケッティング効率のよい宣伝・広告活動を行うことができる。
＜＜実施形態３＞＞
【００６９】
＜実施形態３：概要＞
【００７０】
実施形態３について説明する。本実施形態は、携帯端末装置が、プログラムファイルを実行することで利用可能となるＬＡＮと接続することに特徴を有する情報供給システムである。
【００７１】
＜実施形態３：構成＞
【００７２】
本実施形態での機能ブロックの一例を図７に示した。
【００７３】
図７に示す本実施形態の「情報供給システム」（０７００）は、「携帯端末装置」（０７１０）と、「プログラムファイルサーバ装置」（０７２０）とからなる。さらに、「携帯端末装置」（０７１０）は、「位置情報生成信号出力部」（０７１１）と、「ファイル受信部」（０７１２）と、「実行部」（０７１３）と、さらに、「ＬＡＮ接続部」（０７１４）とからなる。また、「プログラムファイルサーバ装置」（０７２０）は、「プログラムファイル保持部」（０７２１）と、「位置情報取得部」（０７２２）と、「プログラムファイル選択部」（０７２３）と、「プログラムファイル送信部」（０７２４）とからなる。
【００７４】
「ＬＡＮ接続部」（０７１４）は、実行部（０７１３）にて前記プログラムファイルを実行することで利用可能となるＬＡＮと接続するための処理を行う。「ＬＡＮ」は、限られた範囲での総合的な情報通信ネットワークのことである。具体的には、プログラムファイルが音楽再生のためのプログラムファイルである場合に、ＬＡＮを介して再生する音楽コンテンツ等を受信することを目的とする。ＬＡＮに接続することで、多様な情報を一括して受信したり、処理したりすることが可能となることが利点である。
【００７５】
その他各部の処理については、実施形態１と同様である。
【００７６】
＜実施形態３：効果＞
【００７７】
本実施形態では、携帯端末装置が、プログラムファイルを実行することで利用可能となるＬＡＮと接続する。これにより、再生すべきコンテンツを、ＬＡＮを介して受信することが可能となるので、多様な情報を一括して受信したり、処理したりすることができるところに効果が期待できる。
【００７８】
さらに、コンテンツの提供者にとっては、限定された範囲内の利用者に対して、各種サービスや情報を提供することが可能となることで、マーケッティング効率のよい宣伝・広告活動を行うことができる。
＜＜実施形態４＞＞
【００７９】
＜実施形態４：概要＞
【００８０】
実施形態４について説明する。本実施形態は、携帯端末装置におけるプログラムファイルの実行に基づいて前記携帯端末装置と通信し、その通信内容に関する通信結果情報をプログラムファイルサーバ装置に対して送信するためのＬＡＮサーバ装置を有することに特徴のある情報供給システムである。
【００８１】
図８は、本実施形態の概念の一例を示すものである。本実施形態は、携帯端末装置と、プログラムファイルサーバ装置と、ＬＡＮサーバ装置と、からなる情報供給システムである。携帯端末装置が、位置情報生成信号を出力し（▲１▼）、プログラムファイルサーバ装置は、その位置情報生成信号を利用等して生成した位置情報に応じたプログラムファイルを選択して送信する（▲２▼）。それを受けて、携帯端末装置は、送信されたプログラムファイルを受信し、実行する（▲３▼）。ここまでは、すでに述べた実施形態１などと同様である。その後、携帯端末装置におけるプログラムファイルの実行に基づいて、ＬＡＮサーバ装置と携帯端末装置が通信を行う。その際の通信内容に関する情報である通信結果情報をプログラムファイルサーバ装置に対して送信する（▲４▼）。ＬＡＮサーバ装置は店舗内に設置されていてもよい。
【００８２】
＜実施形態４：構成＞
【００８３】
本実施形態での機能ブロックの一例を図９に示した。
【００８４】
図９に示す本実施形態の「情報供給システム」（０９００）は、「携帯端末装置」（０９１０）と、「プログラムファイルサーバ装置」（０９２０）と、「ＬＡＮサーバ装置」（０９３０）とからなる。さらに、「携帯端末装置」（０９１０）は、「位置情報生成信号出力部」（０９１１）と、「ファイル受信部」（０９１２）と、「実行部」（０９１３）と、さらに、「ＬＡＮ接続部」（０９１４）とからなる。また、「プログラムファイルサーバ装置」（０９２０）は、「プログラムファイル保持部」（０９２１）と、「位置情報取得部」（０９２２）と、「プログラムファイル選択部」（０９２３）と、「プログラムファイル送信部」（０９２４）とからなる。また、「ＬＡＮサーバ装置」（０９３０）は、「サーバ側ＬＡＮ接続部」（０９３１）と、「通信結果情報保持部」（０９３２）と、「通信結果情報送信部」（０９３３）とからなる。
【００８５】
ＬＡＮサーバ装置について、説明する。
【００８６】
「サーバ側ＬＡＮ接続部」（０９３１）は、携帯端末装置におけるプログラムファイルの実行に基づいて前記携帯端末装置と通信をするための処理を行う。
【００８７】
「通信結果情報保持部」（０９３２）は、通信結果情報を保持する。「通信結果情報」は、サーバ側ＬＡＮ接続部（０９３１）を介した前記携帯端末装置との通信内容に関する情報である。例えば、通信日時、通信回数、送受信したファイル名等が該当する。これらの情報から利用者の利用状況や、通信環境が推測できるため、ＬＡＮサーバ装置からプログラムファイルサーバ装置へ通信結果情報を送信することで、プログラムファイルの選択が適切にわれることが期待できる。
【００８８】
「通信結果情報送信部」（０９３３）は、通信結果情報保持部（０９３２）で保持されている前記通信結果情報を前記プログラムファイルサーバ装置に対して送信する。
【００８９】
携帯端末装置について、説明する。
【００９０】
「ＬＡＮ接続部」（０９１４）は、実行部（０９１３）にて前記プログラムファイルを実行することでＬＡＮサーバ装置と接続するための処理を行う。先のＬＡＮサーバ装置におけるサーバ側ＬＡＮ接続部（０９３１）と接続し、通信を行う。
【００９１】
その他各部の処理については、実施形態１と同様である。
【００９２】
＜実施形態４：効果＞
【００９３】
本実施形態では、携帯端末装置が、プログラムファイルを実行することでＬＡＮサーバ装置と接続する。これにより、再生すべきコンテンツを、ＬＡＮサーバ装置を介して受信することが可能となるので、多様な情報を一括して受信したり、処理したりすることができるところに効果が期待できる。
【００９４】
さらに、コンテンツの提供者にとっては、限定された範囲内の利用者に対して、各種サービスや情報を提供することが可能となり、マーケッティング効率のよい宣伝・広告活動を行うことができる。また、ＬＡＮサーバ装置を介して通信を行うことにより、通信内容に関する情報をＬＡＮサーバ装置で取得して保持することができるので、その情報をさらにマーケッティング戦略に活用することができる。
＜＜実施形態５＞＞
【００９５】
＜実施形態５：概要＞
【００９６】
実施形態５について説明する。本実施形態は、プログラムファイルサーバ装置が、ＬＡＮサーバ装置から送信された通信結果情報に基づいてプログラムファイルを選択する手段を有することに特徴のある情報供給システムである。
【００９７】
＜実施形態５：構成＞
【００９８】
本実施形態での機能ブロックの一例を図１０に示した。
【００９９】
図１０に示す本実施形態の「情報供給システム」（１０００）は、「携帯端末装置」（１０１０）と、「プログラムファイルサーバ装置」（１０２０）と、「ＬＡＮサーバ装置」（１０３０）とからなる。さらに、「携帯端末装置」（１０１０）は、「位置情報生成信号出力部」（１０１１）と、「ファイル受信部」（１０１２）と、「実行部」（１０１３）と、さらに、「ＬＡＮ接続部」（１０１４）とからなる。また、「プログラムファイルサーバ装置」（１０２０）は、「プログラムファイル保持部」（１０２１）と、「位置情報取得部」（１０２２）と、「プログラムファイル選択部」（１０２３）と、「プログラムファイル送信部」（１０２４）とからなり、「プログラムファイル選択部」（１０２３）は、「通信結果依存プログラムファイル選択手段」（１０２５）をさらに有する。また、「ＬＡＮサーバ装置」（１０３０）は、「サーバ側ＬＡＮ接続部」（１０３１）と、「通信結果情報保持部」（１０３２）と、「通信結果情報送信部」（１０３３）とからなる。
【０１００】
プログラムファイルサーバ装置について、説明する。
【０１０１】
「通信結果依存プログラムファイル選択手段」（１０２５）は、通信結果情報に基づいてプログラムファイルを選択するための処理を行う。例えば、通信回数が多いコンテンツは、利用者が頻繁に実行・視聴することを意味しており、より利用者の嗜好に合致することが想定される。したがって、他のコンテンツよりも優先順位を高く設定し、適切に選択が行われるようにする手段をとることが必要となる。
【０１０２】
その他各部の処理については、実施形態４と同様である。
【０１０３】
＜実施形態５：具体例＞
【０１０４】
図１１に、通信結果情報の具体例を示した。ＬＡＮサーバ装置から受信した通信結果情報に基づいて、プログラムファイルサーバ装置は、プログラムファイルを選択する。ここでは、通信結果情報が、携帯端末装置との通信において受信したコンテンツのコンテンツ名、通信日時、通信回数を含むとした。図で示したように、コンテンツＡが最も通信回数が多いという結果が得られた。そこで、通信結果依存プログラムファイル選択手段においては、この通信結果に依存し、コンテンツＡが選択される優先度を高く設定する等すればよい。
【０１０５】
その他、通信結果依存プログラムファイル選択手段においては、通信結果情報の最近の通信頻度に着目するとしてもよい。この場合、図で示したように、コンテンツＢが最近の通信頻度が高いといえる。したがって、通信結果依存プログラムファイル選択手段においては、この通信結果に依存し、コンテンツＢが選択される優先度を高く設定する等すればよい。
【０１０６】
あるいは、通信したコンテンツの内容に着目し、携帯端末装置が、周辺店舗のランチの情報であるコンテンツＣを受信した場合には、その後デザートの情報であるコンテンツＤが選択される優先度を高く設定する等することも可能である。
【０１０７】
またここでは、通信結果情報は、携帯端末装置を介さずに、ＬＡＮサーバ装置からプログラムファイルサーバ装置へ直接送信される。これにより、通信結果情報から、携帯端末装置の利用者が意識していない嗜好や、習慣等に基づいたサービスの提供を行うことも可能となる。例えば、通信頻度の高いコンテンツが、バーや、お酒に関する情報を扱うサイトである場合、健康管理についての情報を扱うサイトが選択される優先度を高く設定する等することも有効である。
【０１０８】
＜実施形態５：処理の流れ＞
【０１０９】
図１２は、実施形態５での処理の流れの一例を示したものである。本実施形態における情報供給方法は、携帯端末装置による処理と、プログラムファイルサーバ装置による処理と、ＬＡＮサーバ装置による処理からなる。まず、携帯端末装置による処理は、以下に示すステップよりなる。
【０１１０】
まず、プログラムファイルサーバ装置から送信されるプログラムファイルを受信するための処理を行う（ファイル受信ステップ  Ｓ１２０１）。
【０１１１】
次に、前記ファイル受信ステップ（Ｓ１２０１）にて受信したプログラムファイルを実行する（実行ステップ  Ｓ１２０２）。
【０１１２】
このとき、実行ステップ（Ｓ１２０２）にて、プログラムファイルを実行することでＬＡＮサーバ装置と接続する（ＬＡＮ接続ステップ  Ｓ１２０３）。
【０１１３】
一方、ＬＡＮサーバ装置による処理は、以下に示すステップよりなる。
【０１１４】
まず、携帯端末装置におけるプログラムファイルの実行に基づいて前記携帯端末装置と通信をするための処理を行う（サーバ側ＬＡＮ接続ステップ  Ｓ１２１１）。
【０１１５】
次に、サーバ側ＬＡＮ接続ステップ（Ｓ１２１１）にて行った携帯端末装置との通信内容に関する情報である通信結果情報を前記プログラムファイルサーバ装置に対して送信する（通信結果情報送信ステップ  Ｓ１２１２）。
【０１１６】
さらに、プログラムファイルサーバ装置による処理は、以下に示すステップよりなる。
【０１１７】
まず、前記通信結果情報送信ステップ（Ｓ１２１２）によって送信された通信結果情報に基づいて、プログラムファイルを選択する（通信結果依存プログラムファイル選択ステップ  Ｓ１２２１）。
【０１１８】
次に、プログラムファイルサーバ装置は、前記通信結果依存プログラムファイル選択ステップ（Ｓ１２２１）にて選択されたプログラムファイルを前記携帯端末装置に対して送信する（プログラムファイル送信ステップ  Ｓ１２２２）。
【０１１９】
＜実施形態５：効果＞
【０１２０】
ＬＡＮサーバ装置から送信される通信結果に基づいて、プログラムファイルサーバ装置は、携帯端末装置に送信するプログラムファイルを選択して送信することができる。つまり、利用者の嗜好に合致する情報の配信が可能となるので、利用者にとっては便利である。
【０１２１】
さらに、プログラムファイルの提供者にとっては、利用者にとって、より興味のある各種サービスや情報を提供することが可能となることで、マーケッティング効率のよい宣伝・広告活動を行うことができる。
【０１２２】
また、通信結果情報が、携帯端末装置を介さずに、ＬＡＮサーバ装置からプログラムファイルサーバ装置へ直接送信されることで、通信結果情報から、携帯端末装置の利用者が意識していない嗜好や、習慣等に基づいたサービスの提供を行うことも可能となる。
＜＜実施形態６＞＞
【０１２３】
＜実施形態６：概要＞
【０１２４】
実施形態６について説明する。本実施形態は、携帯端末装置と、携帯端末装置が取得すべきプログラムファイルを放送するプログラムファイル放送装置と、からなる情報供給システムである。
【０１２５】
図１３は、本実施形態の概念の一例を示すものである。プログラムファイル放送装置は、プログラムファイルを放送する（▲１▼）。一方、携帯端末装置は、位置情報生成信号に基づいて生成した位置情報に応じて、プログラムファイルを取得する（▲２▼）。さらに、携帯端末装置は、取得したプログラムファイルを実行する（▲３▼）。
【０１２６】
これは、具体的には、携帯端末装置を所持した利用者がＣＤショップに入店した際に、携帯端末装置が自身の位置情報に応じて、プログラムファイル放送装置から放送される多数のプログラムファイルのうち、ＣＤショップに入店している現在、必要とするそのＣＤショップの売れ筋ＣＤの楽曲を試聴できるプログラムファイルを取得する場合などが該当する。利用者は取得したプログラムファイルを実行することで、即座に売れ筋ＣＤの楽曲を試聴することが可能である。このように、放送の形態を取りつつも、利用者が必要とするプログラムファイルを取得することで、より大量の宣伝・広告を行うことが可能となるので、マーケッティング効果が期待できる。
【０１２７】
＜実施形態６：構成＞
【０１２８】
本実施形態での機能ブロックの一例を図１４に示した。
【０１２９】
図１４に示す本実施形態の「情報供給システム」（１４００）は、「携帯端末装置」（１４１０）と、「プログラムファイル放送装置」（１４２０）とからなる。さらに、「携帯端末装置」（１４１０）は、「位置情報生成信号取得部」（１４１１）と、「ファイル取得部」（１４１２）と、「実行部」（１４１３）とからなる。また、「プログラムファイル放送装置」（１４２０）は、「プログラムファイル保持部」（１４２１）と、「プログラムファイル放送部」（１４２２）とからなる。
【０１３０】
まず、携帯端末装置について、説明する。
【０１３１】
「位置情報生成信号取得部」（１４１１）は、位置情報生成信号を取得する。「位置情報生成信号」は、自身の位置を示す情報である位置情報を生成するための信号である。位置情報生成信号は、例えば、携帯端末装置が基地局との通信の際に用いる信号や、ＧＰＳに基づいて得られる信号などが該当する。したがって、「取得」は、携帯端末装置が基地局との通信の際に用いるために内部的に生成する場合や、ＧＰＳに基づいて外部から受信する場合などがある。
【０１３２】
「ファイル取得部」（１４１２）は、位置情報生成信号取得部（１４１１）にて取得された位置情報生成信号に基づいて生成された位置情報に応じてプログラムファイル放送装置から放送されるプログラムファイルを取得する。例えば、位置情報に応じて、放送されるプログラムファイルを取得するために、どのチャネルを選択すべきかを決定する処理なども含まれる場合がある。
【０１３３】
「実行部」（１４１３）は、ファイル取得部（１４１２）で取得したプログラムファイルを実行する。
【０１３４】
以上で述べた携帯端末装置については、情報供給システムを構成しないで、同様の機能を有する単独の装置であってもよい。
【０１３５】
次に、プログラムファイル放送装置について、説明する。
【０１３６】
「プログラムファイル保持部」（１４２１）は、プログラムファイルを保持する。
【０１３７】
「プログラムファイル放送部」（１４２２）は、プログラムファイル保持部（１４２１）にて保持されるプログラムファイルを放送する。「放送」は、多数の人に聴取されることを目的として、電波によって音声または音声と映像を携帯端末装置に送ることをいう。
【０１３８】
以上で述べたプログラムファイル装置については、情報供給システムを構成しないで、同様の機能を有する単独の装置であってもよい。
【０１３９】
＜実施形態６：処理の流れ＞
【０１４０】
図１５は、実施形態６での処理の流れの一例を示したものである。本実施形態における情報供給方法は、携帯端末装置と、携帯端末装置が取得すべきプログラムファイルを放送するプログラムファイル放送装置と、からなる情報供給システムにおいて、以下に示すステップよりなる。
【０１４１】
まず、プログラムファイル放送装置は、保持しているプログラムファイルを放送する（プログラムファイル放送ステップ  Ｓ１５０１）。
【０１４２】
一方、携帯端末装置は、自身の位置を示す情報である位置情報を生成するための信号である位置情報生成信号を取得する（位置情報生成信号取得ステップ  Ｓ１５０２）。
【０１４３】
次に、携帯端末装置は、位置情報生成信号取得ステップにて取得された位置情報生成信号に基づいて生成された位置情報に応じて前記プログラムファイル放送装置から放送されるプログラムファイルを取得する（ファイル取得ステップ  Ｓ１５０３）。
【０１４４】
最後に、携帯端末装置は、ファイル取得ステップにて取得したプログラムファイルを実行する（実行ステップ  Ｓ１５０４）。
【０１４５】
＜実施形態６：効果＞
【０１４６】
プログラムファイルを放送の形態で利用者に提供することで、同じ内容の情報を多数の人に同期して伝えることができ、便利である。また、利用者も自身の位置に応じて必要とするプログラムファイルを取得することができ、現在必要とする情報を用意に得ることができることに利点がある。
＜＜実施形態７＞＞
【０１４７】
＜実施形態７：概要＞
【０１４８】
実施形態７について説明する。本実施形態は、携帯端末装置が、プログラムファイルを実行することで利用可能となるＬＡＮと接続することに特徴を有する情報供給システムである。
【０１４９】
＜実施形態７：構成＞
【０１５０】
本実施形態での機能ブロックの一例を図１６に示した。
【０１５１】
図１６に示す本実施形態の「情報供給システム」（１６００）は、「携帯端末装置」（１６１０）と、「プログラムファイル放送装置」（１６２０）とからなる。さらに、「携帯端末装置」（１６１０）は、「位置情報生成信号取得部」（１６１１）と、「ファイル取得部」（１６１２）と、「実行部」（１６１３）と、さらに、「ＬＡＮ接続部」（１６１４）とからなる。また、「プログラムファイル放送装置」（１６２０）は、「プログラムファイル保持部」（１６２１）と、「プログラムファイル放送部」（１６２２）とからなる。
【０１５２】
「ＬＡＮ接続部」（１６１４）は、実行部（１６１３）にて前記プログラムファイルを実行することで利用可能となるＬＡＮと接続するための処理を行う。「ＬＡＮ」は、限られた範囲での総合的な情報通信ネットワークのことである。具体的には、プログラムファイルが音楽再生のためのプログラムファイルである場合に、ＬＡＮを介して再生する音楽コンテンツ等を受信することを目的とする。ＬＡＮに接続することで、多様な情報を一括して受信したり、処理したりすることが可能となることが利点である。
【０１５３】
その他各部の処理については、実施形態６と同様である。
【０１５４】
＜実施形態７：効果＞
【０１５５】
本実施形態では、携帯端末装置が、プログラムファイルを実行することで利用可能となるＬＡＮと接続する。これにより、再生すべきコンテンツを、ＬＡＮを介して受信することが可能となるので、多様な情報を一括して受信したり、処理したりすることができるところに効果が期待できる。
【０１５６】
さらに、コンテンツの提供者にとっては、限定された範囲内の利用者に対して、各種サービスや情報を提供することが可能となることで、マーケッティング効率のよい宣伝・広告活動を行うことができる。
＜＜実施形態８＞＞
【０１５７】
＜実施形態８：概要＞
【０１５８】
実施形態８について説明する。本実施形態は、携帯端末装置におけるプログラムファイルの実行に基づいて前記携帯端末装置と通信し、その通信内容に関する通信結果情報を携帯端末装置に対して送信するためのＬＡＮサーバ装置を有することに特徴のある情報供給システムである。
【０１５９】
図１７は、本実施形態の概念の一例を示すものである。本実施形態は、携帯端末装置と、プログラムファイル放送装置と、ＬＡＮサーバ装置と、からなる情報供給システムである。プログラムファイル放送装置は、プログラムファイルを放送する（▲１▼）。一方、携帯端末装置は、位置情報生成信号に基づいて生成した位置情報に応じて、プログラムファイルを取得し（▲２▼）、さらに、取得したプログラムファイルを実行する（▲３▼）。ここまでは、すでに述べた実施形態６と同様である。その後、携帯端末装置におけるプログラムファイルの実行に基づいて、ＬＡＮサーバ装置と携帯端末装置が通信を行う。その際の通信内容に関する情報である通信結果情報を携帯端末装置に対して送信する（▲４▼）。
【０１６０】
＜実施形態８：構成＞
【０１６１】
本実施形態での機能ブロックの一例を図１８に示した。
【０１６２】
図１８に示す本実施形態の「情報供給システム」（１８００）は、「携帯端末装置」（１８１０）と、「プログラムファイル放送装置」（１８２０）と、「ＬＡＮサーバ装置」（１８３０）とからなる。さらに、「携帯端末装置」（１８１０）は、「位置情報生成信号取得部」（１８１１）と、「ファイル取得部」（１８１２）と、「実行部」（１８１３）と、「ＬＡＮ接続部」（１８１４）と、さらに、「通信結果情報受信部」（１８１５）とからなり、「ファイル取得部」（１８１２）は、「通信結果依存ファイル取得手段」（１８１６）を有する。また、「プログラムファイル放送装置」（１８２０）は、「プログラムファイル保持部」（１８２１）と、「プログラムファイル放送部」（１８２２）とからなる。また、「ＬＡＮサーバ装置」（１８３０）は、「サーバ側ＬＡＮ接続部」（１８３１）と、「通信結果情報保持部」（１８３２）と、「通信結果情報送信部」（１８３３）とからなる。
【０１６３】
ＬＡＮサーバ装置について、説明する。
【０１６４】
「サーバ側ＬＡＮ接続部」（１８３１）は、携帯端末装置におけるプログラムファイルの実行に基づいて前記携帯端末装置と通信をするための処理を行う。
【０１６５】
「通信結果情報保持部」（１８３２）は、通信結果情報を保持する。「通信結果情報」は、サーバ側ＬＡＮ接続部（１８３１）を介した前記携帯端末装置との通信内容に関する情報である。例えば、通信日時、通信回数、送受信したファイル名等が該当する。これらの情報から利用者の利用状況や、通信環境が推測できるため、ＬＡＮサーバ装置から携帯端末装置へ通信結果情報を送信することで、プログラムファイルの選択が適切にわれることが期待できる。
【０１６６】
「通信結果情報送信部」（１８３３）は、通信結果情報保持部（１８３２）で保持されている前記通信結果情報を前記携帯端末装置に対して送信する。
【０１６７】
携帯端末装置について、説明する。
【０１６８】
「ＬＡＮ接続部」（１８１４）は、実行部（１８１３）にて前記プログラムファイルを実行することでＬＡＮサーバ装置と接続するための処理を行う。先のＬＡＮサーバ装置におけるサーバ側ＬＡＮ接続部（１８３１）と接続し、通信を行う。
【０１６９】
「通信結果情報受信部」（１８１５）は、通信結果情報を前記ＬＡＮサーバ装置から受信する。
【０１７０】
「ファイル取得部」（１８１２）における「通信結果依存プログラムファイル取得手段」（１８１６）は、通信結果情報受信部（１８１５）で受信した通信結果情報に応じて前記プログラムファイル放送装置から放送されるプログラムファイルを取得する。例えば、通信回数が多いコンテンツは、利用者が頻繁に実行・視聴することを意味しており、より利用者の嗜好に合致することが想定される。したがって、他のコンテンツよりも優先順位を高く設定し、適切に選択が行われるようにする手段をとることが必要となる。
【０１７１】
その他各部の処理については、実施形態６と同様である。
【０１７２】
＜実施形態８：具体例＞
【０１７３】
すでに図１１に、通信結果情報の具体例を示した。ＬＡＮサーバ装置から受信した通信結果情報に応じて、携帯端末装置は、プログラムファイルを取得する。ここでは、通信結果情報が、携帯端末装置との通信において受信したコンテンツのコンテンツ名、通信日時、通信回数を含むとした。図で示したように、コンテンツＡが最も実行回数が多いという結果が得られた。そこで、通信結果依存プログラムファイル取得手段においては、この通信結果に依存し、携帯端末装置がコンテンツＡを取得する優先度を高く設定する等すればよい。
【０１７４】
その他、通信結果依存プログラムファイル取得手段においては、通信結果情報の一定期間内の通信頻度に着目するとしてもよい。この場合、図で示したように、コンテンツＢが一定期間内の通信頻度が高いといえる。したがって、通信結果依存プログラムファイル取得手段においては、この通信結果に依存し、携帯端末装置がコンテンツＢを取得する優先度を高く設定する等すればよい。
【０１７５】
あるいは、通信したコンテンツの内容に着目し、携帯端末装置が、周辺店舗のランチの情報であるコンテンツＣを受信した場合には、その後デザートの情報であるコンテンツＤを取得する優先度を高く設定する等することも可能である。
【０１７６】
＜実施形態８：処理の流れ＞
【０１７７】
図１９は、実施形態８での処理の流れの一例を示したものである。本実施形態における情報供給方法は、携帯端末装置による処理と、プログラムファイル放送装置による処理と、ＬＡＮサーバ装置による処理からなる。まず、プログラムファイル放送装置による処理は、以下に示すステップよりなる。
【０１７８】
プログラムファイル放送装置は、プログラムファイルを放送する（プログラムファイル送信ステップ  Ｓ１９０１）。
【０１７９】
次に、携帯端末装置による処理は、以下に示すステップよりなる。
【０１８０】
ここで、ＬＡＮサーバ装置から送信された通信結果情報を受信する（通信結果情報受信ステップ  Ｓ１９１１）。
【０１８１】
さらに、受信した通信結果情報に応じてプログラムファイル放送装置から放送されるプログラムファイルを取得する（通信結果依存プログラムファイル取得ステップ  Ｓ１９１２）。
【０１８２】
次に、取得したプログラムファイルを実行する（実行ステップ  Ｓ１９１３）。
【０１８３】
このとき、実行ステップ（Ｓ１９１３）にて、プログラムファイルを実行することでＬＡＮサーバ装置と接続する（ＬＡＮ接続ステップ  Ｓ１９１４）。
【０１８４】
一方、ＬＡＮサーバ装置による処理は、以下に示すステップよりなる。
【０１８５】
まず、携帯端末装置におけるプログラムファイルの実行に基づいて前記携帯端末装置と通信をするための処理を行う（サーバ側ＬＡＮ接続ステップ  Ｓ１９２１）。
【０１８６】
次に、サーバ側ＬＡＮ接続ステップ（Ｓ１９２１）にて行った携帯端末装置との通信内容に関する情報である通信結果情報を前記携帯端末装置に対して送信する（通信結果情報送信ステップ  Ｓ１９２２）。
【０１８７】
＜実施形態８：効果＞
【０１８８】
本実施形態では、携帯端末装置が、プログラムファイルを実行することでＬＡＮサーバ装置と接続する。これにより、再生すべきコンテンツを、ＬＡＮサーバ装置を介して受信することが可能となるので、多様な情報を一括して受信したり、処理したりすることができるところに効果が期待できる。
【０１８９】
さらに、コンテンツの提供者にとっては、限定された範囲内の利用者に対して、各種サービスや情報を提供することが可能となり、マーケッティング効率のよい宣伝・広告活動を行うことができる。また、ＬＡＮサーバ装置を介して通信を行うことにより、通信内容に関する情報をＬＡＮサーバ装置で取得して保持することができるので、その情報をさらにマーケッティング戦略に活用することができる。
【０１９０】
また、ＬＡＮサーバ装置から送信される通信結果に基づいて、携帯端末装置が取得するプログラムファイルを選択することができる。つまり、利用者の嗜好に合致する情報の配信が可能となるので、利用者にとっては便利である。
【発明の効果】
携帯端末装置は、自身の位置に応じてプログラムファイルを受信することができ、そのプログラムファイルを実行することができる。つまり、利用者の状況に応じた利用者が必要とする情報の配信が可能となるので、利用者にとっては便利である。また、利用者の携帯端末装置の機種に依存することなく、コンテンツ等の実行を可能となる。
【０１９１】
さらに、プログラムファイルの提供者にとっては、利用者にタイミングよく各種サービスや情報を提供することが可能となったことで、マーケッティング効率のよい宣伝・広告活動を行うことができる。
【０１９２】
このとき、携帯端末装置での実行結果や、ＬＡＮサーバ装置との通信結果に基づいて、プログラムファイルの選択や、取得が可能であり、利用者の嗜好に合致する情報の配信が可能となるので、利用者にとっては便利である。
【図面の簡単な説明】
【図１】実施形態１を説明するための概念図
【図２】実施形態１を説明するための機能ブロック図
【図３】実施形態１における位置情報の取得の具体例を示した図
【図４】実施形態１の処理の流れを説明する図
【図５】実施形態２を説明するための機能ブロック図
【図６】実施形態２における実行結果情報の具体例を示した図
【図７】実施形態３を説明するための機能ブロック図
【図８】実施形態４を説明するための概念図
【図９】実施形態４を説明するための機能ブロック図
【図１０】実施形態５を説明するための機能ブロック図
【図１１】実施形態５における通信結果情報の具体例を示した図
【図１２】実施形態５の処理の流れを説明する図
【図１３】実施形態６を説明するための概念図
【図１４】実施形態６を説明するための機能ブロック図
【図１５】実施形態６の処理の流れを説明する図
【図１６】実施形態７を説明するための機能ブロック図
【図１７】実施形態８を説明するための概念図
【図１８】実施形態８を説明するための機能ブロック図
【図１９】実施形態８の処理の流れを説明する図
【符号の説明】
０２００    情報供給システム
０２１０    携帯端末装置
０２１１    位置情報生成信号出力部
０２１２    ファイル受信部
０２１３    実行部
０２２０    プログラムファイルサーバ装置
０２２１    プログラムファイル保持部
０２２２    位置情報取得部
０２２３    プログラムファイル選択部
０２２４    プログラムファイル送信部
【図１】
2004258316.tif 000003
【図２】
2004258316.tif 000004
【図３】
2004258316.tif 000005
【図４】
2004258316.tif 000006
【図５】
2004258316.tif 000007
【図６】
2004258316.tif 000008
【図７】
2004258316.tif 000009
【図８】
2004258316.tif 000010
【図９】
2004258316.tif 000011
【図１０】
2004258316.tif 000012
【図１１】
2004258316.tif 000013
【図１２】
2004258316.tif 000014
【図１３】
2004258316.tif 000015
【図１４】
2004258316.tif 000016
【図１５】
2004258316.tif 000017
【図１６】
2004258316.tif 000018
【図１７】
2004258316.tif 000019
【図１８】
2004258316.tif 000020
【図１９】
2004258316.tif 000021